(57)【要約】      （修正有）【課題】浴槽内でリラックス出来て、腰と背部を中心に、長めに温めて血流改善をして腰痛、肩こり、疲労、胃腸痛等の体の不具合が改善出来る浴槽ハンモックを提供する。【解決手段】浴槽の縁面より低く浴槽内に、人体を支える部品１と、この部品１の両端に一端を固定して、もう一端に浴槽の縁面に固定出来る部品３を固定した部品２を２ケ使用する。この構成により、浴槽内で人が、臀部を浮かせて上向きに寝た状態で入浴出来るようにする。この状態に人体を浴槽に保つために、浮力を利用すると同時に、頸部と膝裏に支持部品１をおいて、人体を支えることが出来るように浴槽ハンモックを構成する。【選択図】図３
0003179547.tif 000002
【実用新案登録請求の範囲】
【請求項１】
浴槽の縁面より低く浴槽内に、人体を支える部品（１）と、この部品（１）の両端に一端を固定して、もう一端に浴槽の縁面に固定出来る部品（３）を固定した部品（２）を２ケ使用する構成からなる浴槽ハンモック。
【考案の詳細な説明】
【技術分野】
【０００１】本考案は風呂の浴槽内において、リラックスして、腰、背部を長く温めることと頸部の矯正とマッサージをして健康維持を図る健康器具に関する。【０００２】従来は風呂浴槽に身体をつけて、暖めることが普通である。また、浴槽内にハンモックとなる部材をセットする補助具もある。【０００３】従来の風呂は、体を温めることと身体の清潔を保つことが主な目的である。通常はこれで問題はない。しかし、腰痛、肩こり、疲労、胃腸の痛み等、体に不具合がある場合は、体を長く温め筋肉をほぐして、血液の流れを良くすることが、これらの不具合を改善する良い治療方法である。体を温めるには、風呂が家庭内で出来る最良の治療手段である。しかし、浴槽内に全身を入れて長くいることは、普通の人では大変な苦痛になる。半身浴の方法もあるが、一般的には、やはり精神的な我慢が要求される。また、リラックスして入浴する補助具もあるが、部材が多くまた大きくて、使用前後が煩雑になり、継続使用が出来にくい。
【考案の概要】
【考案が解決しようとする課題】人は血液の流れで生きている。体を使用するのに必要な血液以上に十分な血流があれば、病気の発生はない。血流の不足した状態で、使用していると、必ずその臓器に不具合が発生する。これが病気である。老化はこの血流が減少して行くことである。この血流を悪くする大きな要素の一つに、冷えがある。血流を支配しているのは神経である。これらの神経の根は脊柱にある。従って、背中の筋肉を、冷やしたり、運動、仕事等で硬くすると、この硬くなった筋肉が神経根を圧迫する。神経根が圧迫された神経の支配する人体の部分に不具合が発生してくる。この神経根のある脊柱周辺の筋肉を少しでも長く温め、柔らかくして、神経根の圧迫を弱めて、血流改善をする。浴槽に少しでも長く入っているためには苦痛が少しでも除去出来てリラックス出来ることが必要である。このリラックスと首周辺の筋肉をマッサージをして、血流改善をする。また、コンパクトで簡単に使用出来るようにして、継続使用を可能にすることを目的とした浴槽ハンモックを提供する。
【課題を解決するための手段】上記目的を達成するために、本考案は、浴槽内の水面近くに、人体の一部を支持出来る部品（１）をセット出来る、浴槽ハンモックとした。人が浴槽内に入り、上向きに寝た状態で、頸部を人体支持部（１）に乗せる。足部は膝の裏側に人体支持部（１）をおく。この頸部と膝部で人体を支えると浮力で軽くなっている人体は、浴槽の中に臀部を浮かせた状態で保つことが出来る。浴槽の中にハンモックを造った形態になる。頸部、膝部にかかる体重を軽くするには、浴槽の水面を、人体支持部（１）の高さにする。浴槽の中に、膝と頸部を支えて体を浮かせると、リラックスしてくる。このリラックス効果で、従来よりも長く浴槽にとどまることができて、血流改善効果が大きくなる。また、頸部は頭を左右に軽く動かすことによって、人体支持部（１）で軽い矯正とマッサージができる。また、部品（１）、（２）、（３）だけであり、全体にコンパクトに出来ることから、使用前後の煩雑さも少なく継続使用が可能である。
【考案の効果】以上の説明から明らかなように、本考案にあっては次に列挙する効果が得れる。
（１）リラックス入浴の効果
風呂浴槽内で臀部を浮かせて上向きに横たわると、精神的にリラックスしてくる。この結果、従来より長めに浴槽にとどまることが出来る。このリラックス効果と長めの入浴で血流改効果が大きい。この結果、腰痛、肩こり、胃腸痛等の不具合症状が少しづつ改善されて行く。
（２）頸部の矯正とマッサージ効果
入浴中に頸を左右に軽く動かす動作を繰り返すことで、頸部を軽くマッサージすることが出来る。また、この動作で軽く頸部が矯正されて行く。この結果、頸部のこりが除去出来て、頭部の血流改善が進み、片頭痛等の頭部の不具合症状が改善出来る。
（３）その他
本考案はハンモックを考慮した物であるが、特に（２）の部品を強固にすれば、浴槽内で（１）に腰掛けることも出来る。また、（１）を水面下の方向に下げれば、子供、または病人介護の入浴補助具としても使用可能である。
【図面の簡単な説明】
【図１】は本考案の一実施例での正面断面図での説明図である。（１）は人体を支える部品。（２）は（１）を固定して、浴槽の縁にかけるための部品である。（３）は（２）を浴槽の縁に固定する部品である。（４）は（１）と（２）を固定する部分で、ネジ止めとする。（５）は（１）の高さを調整する穴。（６）は（２）と（３）を固定する個所である。
【図２】は本考案の浴槽ハンモックと浴槽の縁との接合する部分図である。（７）は浴槽の縁である。この（７）の面に、（２）に固定した（３）で本考案の浴槽ハンモックを固定する。
【図３】本考案の浴槽ハンモックの使用方法を説明する図である。図は本考案の浴槽ハンモックを２ケ使用して、浴槽内に人体（９）を、臀部を浮かして上向きに、寝ている様子である。（８）は水面である。人体を支える部品（１）はこの水面（８）の高さとしている。この水面の高さに、人体を支える（１）をすることが本考案の浴槽ハンモックの目的である。
【考案を実施するための形態】
以下、本考案の実施形態を図に基づいて説明する。
図１が本考案の浴槽ハンモックの正面断面図である。人体を支える部品（１）とこの（１）を浴槽内に固定する部品（２）、それにこの（２）を浴槽の縁に固定できる部品（３）が基本構成である。
ここでの図面は、部品（１）、部品（２）、部品（３）と３部品を考慮して書いてあるが、（１）の高さを固定して使用出来る場合は、部品（１）、と部品（２）を、例えば、木材で一体加工して一つの部品とすることも可能である。また、部品（３）も膝裏に使用する場合は、吸盤がなくても可能である。膝裏は、簡単に動いた方が良い。（１）の材質は、檜等の木材が良いが、プラスチック材、金属材でも可能である。断面形状は丸状か、頸部を中心に心地よく人体に接するように蒲鉾状、波形状等が考えられる。また肌と直接、接することから、湯中でも使用が出来る柔らかい材質のカバーで（１）を覆うことも良い。また、浴槽の幅にあわせた長さ調整構造を部品（１）に加える方法もあるが、全体の長さを浴槽にあわせることが、コンパクトになり、使いやすい物となる。（２）は強固な材質で（１）に体重がかかっても、変形しない構造とする。材質は金属、プラスチック、木材が考えられるが、（１）と（３）の固定方法で決まる。また、浴槽の幅にあわせる構造を、（２）に加工も可能であるが、（１）の場合と同様に、（１）と（２）の組み合わせで、浴槽寸法にあわせてコンパクトにする物が良い。浴槽内で使用する物であるので全体に、出来るだけ簡潔な構造にする。（３）は（２）を浴槽の縁（７）の表面に固定するものである。材質、形状は柔軟なプラスチック材で浴槽の縁面に吸い付く吸盤形状が良い。本図面には吸盤１ケ使用で描いてあるが、（２）の部品を浴槽の縁で、希望する場所に固定するのが目的のために、複数の吸盤使用、ハンモックが動かないように、吸盤以外で浴槽の壁等を使う部品でも可能である。しかし、吸盤使用がハンモックをコンパクトに出来る。（４）は（１）と（２）を固定する部分である。通常はネジ止めとする。（１）に体重がかかっても、外れないようにする。（５）は（１）の高さ調節をする部分で（４）と同じように使用が出来る。（６）は（３）を固定する部分である。但し（３）の部品形状で（６）の構造は変わってくる。本考案の使用方法は図３に示してある。この図では、同一形態の考案品を使用した場合である。頸部にかかる圧力を少なくするには、（１）を水面（８）に近くして浮力を大きくすることである。また、膝裏を乗せる（１）を水面（８）より低くすることでも浮力を大きく出来る。但し臀部と背部を中心に少しでも長く、浴槽内に体をとどめるには、膝裏を乗せる（１）は高くして足を湯から出した方が良い。この極端な場合は、浴槽の縁（７）に膝裏を乗せる棒材、または、風呂蓋の一部を丸めて使用する方法も可能である。人体を支える部品（１）の形状と材質で、頸部にかかる負担を軽減することが可能である。
【産業上の利用可能性】  本考案は、健康を維持するための健康保持器具の一つとして利用可能である。
【図１】
0003179547.tif 000003
【図２】
0003179547.tif 000004
【図３】
0003179547.tif 000005